Podtech/llm-jp-corpus-v4-ja_patent huggingface dataset:
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
データ提供ユニットと、
データ処理モジュールと、
出力ユニットと、
を含み、
前記データ提供ユニットは、生のＸ線マスク画像としての使用のため患者の関心領域の第１の非造影Ｘ線画像シーケンスを提供し、また、生のＸ線ライブ画像としての使用のため患者の前記関心領域の第２の造影Ｘ線画像シーケンスを提供し、
前記データ処理モジュールは、第１の空間的サブトラクションを前記第１の非造影Ｘ線画像シーケンスに行って第１の空間的サブトラクションマスク画像シーケンスを得て、また、第２の空間的サブトラクションを前記第２の造影Ｘ線画像シーケンスに行って第２の空間的サブトラクションＸ線ライブ画像シーケンスを得て、また、前記空間的サブトラクションＸ線ライブ画像から前記空間的サブトラクションマスク画像を差し引くことによって、時間的サブトラクションを行って時間的−空間的サブトラクションＸ線ライブ画像シーケンスを得て、
前記出力ユニットは、前記時間的−空間的サブトラクションＸ線ライブ画像シーケンスを出力する、血管構造を可視化するデバイス。
【請求項２】
前記時間的−空間的サブトラクションＸ線ライブ画像シーケンスを表示するディスプレイが設けられる、請求項１に記載のデバイス。
【請求項３】
Ｘ線源及びＸ線検出器を含むＸ線撮像デバイスと、
請求項１又は２に記載の血管構造を可視化するデバイスと、
を含み、
前記Ｘ線撮像デバイスは、患者の関心領域の少なくとも複数のＸ線画像を、前記第２の造影Ｘ線画像シーケンスとして提供する、血管構造を可視化する医用撮像システム。
【請求項４】
ａ１）生のＸ線マスク画像としての使用のため患者の関心領域の第１の非造影Ｘ線画像シーケンスを提供するステップと、
ａ２）第１の空間的サブトラクションを前記第１の非造影Ｘ線画像シーケンスに行って第１の空間的サブトラクションマスク画像シーケンスを得るステップと、
ｂ１）生のＸ線ライブ画像としての使用のため患者の前記関心領域の第２の造影Ｘ線画像シーケンスを提供するステップと、
ｂ２）第２の空間的サブトラクションを前記第２の造影Ｘ線画像シーケンスに行って第２の空間的サブトラクションＸ線ライブ画像シーケンスを得るステップと、
ｃ）前記空間的サブトラクションＸ線ライブ画像から前記空間的サブトラクションマスク画像を差し引くことによって、時間的サブトラクションを行って時間的−空間的サブトラクションＸ線ライブ画像シーケンスを得るステップと、
を含む、血管構造を可視化する方法。
【請求項５】
前記時間的サブトラクションは、動き補償サブトラクションであり、前記動き補償サブトラクションは、前記空間的サブトラクションＸ線ライブ画像からの前記空間的サブトラクションされた動き補償されたマスク画像のサブトラクションである、請求項４に記載の方法。
【請求項６】
ｄ）前記時間的−空間的サブトラクションＸ線ライブ画像シーケンスを表示するステップが提供される、請求項４又は５に記載の方法。
【請求項７】
前記第１の空間的サブトラクション及び／又は前記第２の空間的サブトラクションは、
Ｘ線画像のシーケンスの各画像について軟組織の軟組織マップを推定するステップと、
推定された前記軟組織マップを前記Ｘ線画像から差し引くステップと、
を含む、請求項４から６の何れか一項に記載の方法。
【請求項８】
前記軟組織マップの推定は、ハーモナイゼーション技術を含み、
空間低周波数は、低い多重解像度ピラミッドレベルで推定され、不所望の極性又は周波数が減衰又はダンプされる、請求項７に記載の方法。
【請求項９】
処理ユニットによって実行されるとき、請求項４から８の何れか一項に記載の方法のステップを行うように、請求項１から３のいずれか一項に記載の装置を制御する、コンピュータプログラム。
【請求項１０】
請求項９に記載のコンピュータプログラムを格納しているコンピュータ可読媒体。
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
管状の内層と、管状の第１の外層と、管状の第２の外層とを含む創傷被覆材であって、
前記内層は、創傷から流体が滲み出ることを許容し、前記内層の下にある皮膚の乾燥を防ぎ、前記内層と前記皮膚との間に配置された軟膏の乾燥を防ぎ、
前記第１の外層は、前記内層に隣接し、前記内層の半径方向外側に配置され、前記内層から漏れ出た流体を吸収し、
前記第２の外層は、前記第１の外層より半径方向外側に配置され、前記第１の外層および前記内層を外部の汚染物質から保護し、流体が漏れ出るのを防ぎ、
前記第１の外層は、前記内層に接着され、前記第２の外層は、前記第１の外層に接着され、
前記内層、前記第１の外層、および、前記第２の外層のそれぞれは、半径方向に弾性を有する、
創傷被覆材。
【請求項２】
前記内層の内面に塗布される軟膏の層をさらに含む、請求項１に記載の創傷被覆材。
【請求項３】
前記内層、前記第１の外層、および、前記第２の外層のそれぞれは、半径方向に十分な弾性を有するため、前記創傷被覆材の直径は、未伸張状態の直径の少なくとも１５０％まで伸張することができる、請求項１に記載の創傷被覆材。
【請求項４】
前記内層、前記第１の外層、および、前記第２の外層のそれぞれは、軸方向に十分な弾性を有するため、前記創傷被覆材の長さは、未伸張状態の長さの少なくとも１１０％まで伸張することができる、請求項３に記載の創傷被覆材。
【請求項５】
前記内層は、複数の糸または繊維から形成され、前記複数の糸または繊維のそれぞれは、皮膚への接着を防止するかまたは最小限にする物質でコーティングされている、請求項１に記載の創傷被覆材。
【請求項６】
前記物質は、シリコーンを含む、請求項５に記載の創傷被覆材。
【請求項７】
前記第１の外層は、布製のガーゼを含む、請求項１に記載の創傷被覆材。
【請求項８】
前記第１の外層は、縫合によって前記内層に接着され、前記第２の外層は、縫合によって前記第１の外層に接着される、請求項１に記載の創傷被覆材。
【請求項９】
前記縫合は、軸方向に延びる複数のジグザグの線状に適用される、請求項８に記載の創傷被覆材。
【請求項１０】
前記内層、前記第１の外層、および、前記第２の外層の少なくとも１つは、円形織り、円形編み、３Ｄ織り、および、３Ｄ編みの少なくとも１つを用いて製造される、請求項１に記載の創傷被覆材。
【請求項１１】
前記内層、前記第１の外層、および、前記第２の外層は、３Ｄ織りおよび３Ｄ編みの少なくとも１つを用いてすべて一緒に製造される、請求項１に記載の創傷被覆材。
【請求項１２】
前記内層、前記第１の外層、および、前記第２の外層の少なくとも１つは、軸方向に延びる脆弱領域を有する、請求項１に記載の創傷被覆材。
【請求項１３】
管状の内層と、少なくとも１つの外層とを含む創傷被覆材であって、
前記内層は、創傷から流体が滲み出ることを許容し、前記内層の下にある皮膚の乾燥を防ぎ、前記内層と前記皮膚との間にある軟膏の乾燥を防ぎ、
前記少なくとも１つの外層は、前記内層の半径方向外側に配置され、前記内層から漏れ出た流体を吸収し、前記内層を外部の汚染物質から保護し、流体が漏れ出るのを防ぎ、
前記少なくとも１つの外層は、前記内層に接着され、
前記内層、および、前記少なくとも１つの外層のそれぞれは、半径方向に弾性を有する、
創傷被覆材。
【請求項１４】
前記内層の内面に塗布される軟膏の層をさらに含む、請求項１３に記載の創傷被覆材。
【請求項１５】
前記内層、および、前記少なくとも１つの外層のそれぞれは、半径方向に十分な弾性を有するため、前記創傷被覆材の直径は、未伸張状態の直径の少なくとも１５０％まで伸張することができる、請求項１３に記載の創傷被覆材。
【請求項１６】
前記内層は、複数の糸または繊維から形成され、前記複数の糸または繊維のそれぞれは、接着を防止するかまたは最小限にする物質でコーティングされている、請求項１３に記載の創傷被覆材。
【請求項１７】
前記物質は、シリコーンを含む、請求項１６に記載の創傷被覆材。
【請求項１８】
前記内層、および、前記少なくとも１つの外層の少なくとも１つは、円形織り、円形編み、３Ｄ織り、および、３Ｄ編みの少なくとも１つを用いて製造される、請求項１３に記載の創傷被覆材。
【請求項１９】
前記内層、および、前記少なくとも１つの外層は、３Ｄ織りおよび３Ｄ編みの少なくとも１つを用いて一緒に製造される、請求項１３に記載の創傷被覆材。
【請求項２０】
前記内層、および、前記少なくとも１つの外層の少なくとも１つは、軸方向に延びる脆弱領域を有する、請求項１３に記載の創傷被覆材。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
リン酸モノ−トコフェリルとリン酸ジ−トコフェリルとの混合物を動物に投与することを含む動物のパフォーマンスパラメータを改善する方法であって、前記リン酸ジ−トコフェリルが前記リン酸トコフェリル混合物の少なくとも１０重量％の割合である、方法。
【請求項２】
前記動物が家畜動物、水産養殖動物、スポーツ動物を含む使役動物、および飼い慣らされたコンパニオンアニマルからなる群より選択される、請求項１に記載の方法。
【請求項３】
前記動物が家畜動物である、請求項１または２に記載の方法。
【請求項４】
前記動物が幼若動物である、請求項１〜３のいずれか一項に記載の方法。
【請求項５】
リン酸モノ−トコフェリルとリン酸ジ−トコフェリルの前記混合物が前記動物に経口投与される、請求項１〜４のいずれか一項に記載の方法。
【請求項６】
リン酸モノ−トコフェリルとリン酸ジ−トコフェリルの前記混合物が、前記動物によって消費される配給量の動物飼料に添加される、請求項１〜５のいずれか一項に記載の方法。
【請求項７】
前記配給量の動物飼料は、スターター飼料、仕上げ飼料、または両方の組み合わせである、請求項６に記載の方法。
【請求項８】
前記動物飼料の配給量がリン酸モノ−トコフェリルとリン酸ジ−トコフェリルの混合物を約１ｐｐｍ〜約１０００ｐｐｍ、約１ｐｐｍ〜約５００ｐｐｍ、約１ｐｐｍ〜約２００ｐｐｍ、または約１ｐｐｍ〜約１０００ｐｐｍの量で含む、請求項１〜７のいずれか一項に記載の方法。
【請求項９】
前記動物飼料の配給量がリン酸モノ−トコフェリルとリン酸ジ−トコフェリルの混合物を約５ｐｐｍ〜約１６０ｐｐｍ、５ｐｐｍ〜約８０ｐｐｍ、約５ｐｐｍ〜約６０ｐｐｍ、約５ｐｐｍ〜約４０ｐｐｍ、約５ｐｐｍ〜約３０ｐｐｍ、約５ｐｐｍ〜約２０ｐｐｍ、または約５ｐｐｍ〜約１０ｐｐｍの量で含む、請求項１〜７のいずれか一項に記載の方法。
【請求項１０】
前記動物飼料の配給量がリン酸モノ−トコフェリルとリン酸ジ−トコフェリルの混合物を約１０ｐｐｍ〜約８０ｐｐｍ、１０ｐｐｍ〜約６０ｐｐｍ、約１０ｐｐｍ〜約５０ｐｐｍ、約１０ｐｐｍ〜約４０ｐｐｍ、約１０ｐｐｍ〜約３０ｐｐｍ、または約１０ｐｐｍ〜約２０ｐｐｍの量で含む、請求項１〜７のいずれか一項に記載の方法。
【請求項１１】
前記動物飼料の配給量がリン酸モノ−トコフェリルとリン酸ジ−トコフェリルの混合物を約５ｐｐｍ、約１０ｐｐｍ、約２０ｐｐｍ、約４０ｐｐｍ、または約８０ｐｐｍの量で含む、請求項１〜７のいずれか一項に記載の方法。
【請求項１２】
前記パフォーマンスパラメータが商業生産環境におけるストレス条件下で改善される、請求項１〜１１のいずれか一項に記載の方法。
【請求項１３】
前記パフォーマンスパラメータが成長成績パラメータである、請求項１〜１２のいずれか一項に記載の方法。
【請求項１４】
前記成長成績パラメータが生体重増加量および飼料効率からなる群より選択される、請求項１３に記載の方法。
【請求項１５】
飼料効率が、１日平均体重増、１日平均飼料摂取量および飼料転換比から選択される、請求項１４に記載の方法。
【請求項１６】
前記パフォーマンスパラメータが改善された肉質である、請求項１〜１２のいずれか一項に記載の方法。
【請求項１７】
リン酸モノ−トコフェリルとリン酸ジ−トコフェリルとの混合物を含む、配給量の動物飼料。
【請求項１８】
前記リン酸ジ−トコフェリルが前記リン酸トコフェリル混合物の少なくとも１０重量％の割合である、請求項１７に記載の動物飼料。
【請求項１９】
リン酸モノ−トコフェリルとリン酸ジ−トコフェリルとの混合物の、配給量の動物飼料を製造するための使用。
【請求項２０】
前記リン酸ジ−トコフェリルが前記リン酸トコフェリル混合物の少なくとも１０重量％の割合である、請求項１９に記載の使用。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
クエン酸、ポリ（エチレングリコール）、グリセロール１，３−ジグリセロラートジアクリラート、及びポリ（Ｎ−イソプロピルアクリルアミド）の各モノマー、ならびにその中に組み込まれている少なくとも１つの生理活性物質及び／またはそれに付加されている少なくとも１つの生理活性物質を含むＰＰＣＮ系ハイドロゲルを含む組成物。
【請求項２】
前記生理活性物質は、前記ＰＰＣＮ系ハイドロゲル骨格内に組み込まれているさらなるモノマーである、請求項１に記載の組成物。
【請求項３】
前記生理活性物質はβ−グリセロリン酸である、請求項２に記載の組成物。
【請求項４】
前記生理活性物質は、ＰＰＣＮハイドロゲルに付加されているペンダント基であり、
前記ペンダント基は、好ましくは、低分子またはペプチド、さらに好ましくは、環状Ａｒｇ−Ｇｌｙ−Ａｓｐ（ｃＲＧＤ）ペプチドである、請求項１に記載の組成物。
【請求項５】
前記生理活性物質はイオン性架橋剤、好ましくは、Ｃａ２＋、Ｂａ２＋、またはＳｒ２＋である、請求項１に記載の組成物。
【請求項６】
クエン酸、ポリ（エチレングリコール）、グリセロール１，３−ジグリセロラートジアクリラート、ポリ（Ｎ−イソプロピルアクリルアミド）、及びβ−グリセロリン酸の各モノマーを含むＰＰＣＮ系リン酸塩表出ハイドロゲルを含む組成物。
【請求項７】
前記ＰＰＣＮ系リン酸塩表出ハイドロゲルは、構造
【化１】
2020501661.tif 000001
を含み、ここで、ｘ及びｙは互いに独立して２〜２０である、請求項６に記載の組成物。
【請求項８】
（ａ）クエン酸、ポリ（エチレングリコール）、グリセロール１，３−ジグリセロラートジアクリラート、及びβ−グリセロリン酸の各モノマーの重縮合、それに続く（ｂ）ポリ（Ｎ−イソプロピルアクリルアミド）とのフリーラジカル重合によって調製する、請求項６に記載の組成物。
【請求項９】
以下に示すスキーム１に示す反応によって調製される、請求項６に記載の組成物。
【化２】
2020501661.tif 000002
【請求項１０】
クエン酸、ポリ（エチレングリコール）、グリセロール１，３−ジグリセロラートジアクリラート、及びポリ（Ｎ−イソプロピルアクリルアミド）の各モノマー、ならびに前記クエン酸モノマーのカルボキシ基と共有結合で複合体化させたペプチドを含むＰＰＣＮ系ペプチド表出ハイドロゲルを含む組成物。
【請求項１１】
前記ペプチドを、前記クエン酸モノマーのカルボキシ基とカルボジイミド化学による共有結合で複合体化させる、請求項１０に記載の組成物。
【請求項１２】
前記ペプチドは環状Ａｒｇ−Ｇｌｙ−Ａｓｐ（ｃＲＧＤ）であり、
前記ｃＲＧＤは、好ましくは、ＰＰＣＮのカルボキシ基と共有結合で複合体化している、請求項１０に記載の組成物。
【請求項１３】
クエン酸、ポリ（エチレングリコール）、グリセロール１，３−ジグリセロラートジアクリラート、及びポリ（Ｎ−イソプロピルアクリルアミド）の各モノマーと金属イオン架橋とを含むＰＰＣＮ系ハイドロゲルを含む組成物。
【請求項１４】
金属イオン架橋ＰＰＣＮを含み、
好ましくは、前記金属イオンの塩の存在下で前記ＰＰＣＮをインキュベートすることによって調製されるか、あるいは、
前記金属イオンは、好ましくは、Ｃａ２＋、Ｂａ２＋、またはＳｒ２＋である、請求項１３に記載の組成物。
【請求項１５】
以下の（ｉ）または（ｉｉ）の用途に使用されるための、請求項１〜１４のいずれか１項に記載の組成物：
（ｉ）骨折部位または骨の罹患部位に前記組成物を投与し、前記組成物をゲル化させることによって、前記骨折部位または前記骨の罹患部位を治療する用途、
（ｉｉ）骨修復を促進させる用途。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
胎児を包むように構成されている、チャンバにおいて、
臍帯がついた前記胎児を受容するように構成された内部空間と、
前記内部空間内部に位置づけられ、前記臍帯に接触するように構成された、クランプであって、開放位置と閉鎖位置との間で作用可能である、クランプと、
を含み、
前記クランプが前記開放位置にあるとき、前記臍帯を通る血流は妨げられず、前記クランプが前記閉鎖位置にあるとき、前記臍帯を通る前記血流が妨げられる、チャンバ。
【請求項２】
請求項１に記載のチャンバにおいて、
前記内部空間を画定するハウジングをさらに含み、
前記内部空間は、第１の部分、および前記第１の部分と流体連通する第２の部分を画定し、
前記第１の部分は、前記胎児を受容するように構成され、前記第２の部分は、前記臍帯を受容するように構成されている、チャンバ。
【請求項３】
請求項２に記載のチャンバにおいて、
前記ハウジングから前記内部空間内に延び、前記内部空間の前記第１の部分と前記第２の部分とを分離する壁をさらに含み、前記壁は、前記内部空間の前記第１の部分および前記第２の部分の両方を部分的に画定する、チャンバ。
【請求項４】
請求項３に記載のチャンバにおいて、
前記クランプは、前記内部空間の前記第２の部分内部に配され、
前記チャンバは、
前記クランプに動作可能に連結され、前記内部空間の前記第２の部分内部で前記クランプを前記壁に向かう方向に動かすように構成された、アクチュエータをさらに含み、
前記臍帯は、前記クランプと前記壁との間に配される、チャンバ。
【請求項５】
請求項２に記載のチャンバにおいて、
前記ハウジングおよび前記クランプを含む第１のシェルをさらに含み、
前記チャンバは、前記第１のシェルと協働して前記内部空間を少なくとも部分的に画定するように構成された第２のシェルをさらに含み、
前記第２のシェルが前記第１のシェルに対して第１の位置から第２の位置まで動くことができ、前記第１の位置では、前記チャンバは開放構成にあり、前記第２の位置では、前記チャンバは閉鎖構成にある、チャンバ。
【請求項６】
請求項５に記載のチャンバにおいて、
前記チャンバが前記開放構成にあるとき、第１の距離が、前記第１のシェルの一部と前記第２のシェルの一部との間に定められ、
前記チャンバが前記閉鎖構成にあるとき、第２の距離が、前記第１のシェルの前記一部と前記第２のシェルの前記一部との間に定められ、
前記第２の距離は、前記第１の距離より短い、チャンバ。
【請求項７】
請求項６に記載のチャンバにおいて、
前記第１の距離は、前記内部空間に前記胎児を入れるのに適応するのに十分大きく、
前記胎児は、妊娠約２２週〜妊娠約２４週である、チャンバ。
【請求項８】
請求項５に記載のチャンバにおいて、
前記第１のシェルと前記第２のシェルとの間に位置づけられたシールをさらに含み、
前記閉鎖構成では、前記シールは、前記第１のシェルと前記第２のシェルとの間で圧縮されて、前記第１のシェルと前記第２のシェルとの間に液密バリアを形成する、チャンバ。
【請求項９】
酸素を胎児に提供するように構成されたシステムにおいて、
ハウジング内部空間を画定するハウジングを含むカートと、
請求項１から８のいずれか一項に記載のチャンバと、
液体の供給源を含む第１の流体回路と、
前記液体を前記供給源から前記チャンバまで移動させるように構成され、前記液体を前記チャンバからリザーバまで移動させるようにさらに構成された、ポンプと、
酸素を前記胎児まで運ぶように構成された酸素供給器を含む第２の流体回路と、
を含み、
前記システムは、前記チャンバおよび前記酸素供給器の両方が前記ハウジング内部空間の外側に位置づけられ、前記チャンバが前記第１の流体回路から切り離されている、第１の構成を定め、
前記システムは、前記チャンバおよび前記酸素供給器の両方が前記ハウジング内部空間の中に位置づけられ、前記チャンバが前記第１の流体回路と流体接続している、第２の構成を定める、システム。
【請求項１０】
請求項９に記載のシステムにおいて、
前記ハウジングは、前記ハウジング内部空間を画定するように協働する、複数の側壁、基部表面、および蓋を含む、システム。
【請求項１１】
請求項９に記載のシステムにおいて、
前記チャンバは、前記カートに対して軸を中心として回転可能である、システム。
【請求項１２】
請求項９に記載のシステムにおいて、
前記チャンバと前記リザーバとの間に位置づけられたろ過システムをさらに含み、
前記ろ過システムは、汚染物質が前記チャンバに向かって移動するのを防ぐように構成されている、システム。
【請求項１３】
請求項１２に記載のシステムにおいて、
前記ろ過システムは、紫外線の少なくとも一部が前記チャンバに到達するのを防ぐように構成された前記ハウジング内部に封入されている、紫外線供給源を含む、システム。
【請求項１４】
請求項９に記載のシステムにおいて、
前記第２の流体回路は、スイープガスを前記酸素供給器に送達するように構成された第１の部分を含み、
前記第２の流体回路は、前記スイープガスを受け取り、前記胎児とのガス交換を実行するように構成された第２の部分を含む、システム。
【請求項１５】
請求項１４に記載のシステムにおいて、
前記第２の流体回路の前記第１の部分は、ガスブレンダーにそれぞれが接続された第１のガス供給源および第２のガス供給源を含む、システム。
【請求項１６】
請求項１５に記載のシステムにおいて、
前記第１のガス供給源および前記第２のガス供給源のうちの少なくとも一方は、前記ハウジング内部空間内部に封入された可動の供給源と、少なくとも部分的に前記ハウジング内部空間の外側に位置づけられた、固定された供給源と、を含む、システム。
【請求項１７】
請求項９に記載のシステムにおいて、
前記チャンバの前記内部空間の中の血液を検出するように構成されたカメラをさらに含む、システム。
【請求項１８】
胎児の臍帯を通る血流を妨げる停止組立体において、
移動可能なクランプと、
前記クランプを前記臍帯に向かう方向に動かすように構成されたアクチュエータと、
を含み、
前記クランプは、開放位置と閉鎖位置との間で移動可能となるように構成され、前記クランプが前記開放位置にあるとき、前記クランプは、前記臍帯を通る血流が妨げられないように、前記臍帯に接触せず、前記クランプが前記閉鎖位置にあるとき、前記クランプは、前記臍帯を通る前記血流が妨げられるように、前記臍帯に接触する、停止組立体。
【請求項１９】
請求項１８に記載の停止組立体において、
壁を有するチャンバ内部に配され、
前記クランプが前記開放位置から前記閉鎖位置に動くと、前記クランプは、前記壁に向かう方向に動き、前記臍帯は、前記クランプと前記壁との間に配される、停止組立体。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
牛乳、牛乳ベースの製品、離乳食、離乳食用液体濃縮物、栄養飲料、等の流動性食品を熱処理するためのプラントであって、
熱処理装置（１）と、
フラッシュ容器（１０）と、
を備え、
前記熱処理装置（１）は、
その頂部に配置された流動性食品入口と、
その底部に配置された流動性食品出口と、
その頂部に配置された第１蒸気入口と、
を有しており、
前記流動性食品は、生蒸気及び／またはフラッシュ蒸気を前記熱処理装置（１）内に供給することによって、熱処理に曝され、
前記生蒸気は、前記第１蒸気入口に接続された生蒸気導管（３）によって、前記熱処理装置（１）内に供給され、
前記フラッシュ容器（１０）は、その頂部に流動性食品入口を有すると共に、その底部に流動性食品出口を有しており、
前記熱処理装置（１）の前記流動性食品出口は、導管（９）及びポンプ（６）によって、前記フラッシュ容器（１０）の前記流動性食品入口に接続されており、
前記フラッシュ容器（１０）の前記流動性食品出口は、前記フラッシュ容器（１０）から流動性食品を排出するための導管（１２）及びポンプ（１３）に接続されており、
前記フラッシュ容器（１０）は、その頂部に配置されたフラッシュ蒸気出口を含み、
前記フラッシュ蒸気出口は、第１フラッシュ蒸気導管（８）に接続されており、
前記第１フラッシュ蒸気導管（８）は、圧縮装置（１６）の入口に接続されており、
前記第１フラッシュ蒸気導管（８）は、フラッシュ蒸気を前記圧縮装置（１６）に供給するようになっており、当該圧縮装置（１６）において前記フラッシュ蒸気が圧縮され、
第２フラッシュ蒸気導管（１４）が、前記圧縮装置（１６）の出口に接続されており、
前記第２フラッシュ蒸気導管（１４）は、前記フラッシュ蒸気を前記熱処理装置（１）に移送するようになっている
ことを特徴とするプラント。
【請求項２】
前記第２フラッシュ蒸気導管（１４）は、前記生蒸気導管（３）に接続されている
ことを特徴とする請求項１に記載のプラント。
【請求項３】
前記第２フラッシュ蒸気導管（１４）は、前記熱処理装置（１）の頂部に配置された第２蒸気入口に接続されている
ことを特徴とする請求項１に記載のプラント。
【請求項４】
熱蒸気再圧縮機器（２０）が、前記第２フラッシュ蒸気導管（１４）に接続されている
ことを特徴とする請求項１乃至３のいずれかに記載のプラント。
【請求項５】
前記圧縮装置（１６）は、少なくとも１つの圧縮機器（１６ａ、１６ｂ）を含んでいる
ことを特徴とする請求項１乃至４のいずれかに記載のプラント。
【請求項６】
前記圧縮装置（１６）は、直列に接続された２つの圧縮機器（１６ａ、１６ｂ）を含んでいる
ことを特徴とする請求項５に記載のプラント。
【請求項７】
前記圧縮機器（１６ａ、１６ｂ）は、スチームコンプレッサを含んでいる
ことを特徴とする請求項５または６に記載のプラント。
【請求項８】
前記圧縮機器（１６ａ、１６ｂ）は、ヒートポンプを含んでいる
ことを特徴とする請求項５乃至７のいずれかに記載のプラント。
【請求項９】
前記圧縮機器（１６ａ、１６ｂ）は、タービンを含んでいる
ことを特徴とする請求項５乃至８のいずれかに記載のプラント。
【請求項１０】
前記圧縮機器（１６ａ、１６ｂ）は、ターボチャージャを含んでいる
ことを特徴とする請求項５乃至９のいずれかに記載のプラント。
【請求項１１】
前記生蒸気は、スチームボイラ（１８）によって生成される
ことを特徴とする請求項１乃至１０のいずれかに記載のプラント。
【請求項１２】
前記スチームボイラ（１８）は、前記ターボチャージャに蒸気を供給するようになっている
ことを特徴とする請求項１０及び１１に記載のプラント。
【請求項１３】
前記導管（１２）及びポンプ（１３）は、前記流動性食品を無菌ホモジナイザー（１７）に移送するようになっている
ことを特徴とする請求項１乃至１２のいずれかに記載のプラント。
【請求項１４】
前記流動性食品は、感熱性である
ことを特徴とする請求項１乃至１３のいずれかに記載のプラント。
【請求項１５】
当該プラントは、前記フラッシュ容器（１０）の出口に接続された凝縮器（１５）を含んでいない
ことを特徴とする請求項１乃至１４のいずれかに記載のプラント。
【請求項１６】
前記熱処理装置（１）は、蒸気注入室を含んでいる
ことを特徴とする請求項１乃至１５のいずれかに記載のプラント。
【請求項１７】
前記熱処理装置（１）は、蒸気噴射機器を含んでいる
ことを特徴とする請求項１乃至１５のいずれかに記載のプラント。
【請求項１８】
生蒸気及び／またはフラッシュ蒸気によって流動性食品が熱処理に曝される熱処理装置（１）を備えた超高温処理プラントの運転方法であって、
前記熱処理装置（１）内に前記流動性食品を供給する工程、
前記熱処理装置（１）内に生蒸気及び／またはフラッシュ蒸気を供給する工程、
前記熱処理装置（１）から前記流動性食品を取り出す工程、
フラッシュ容器（１０）内に前記流動性食品を供給する工程、
前記フラッシュ容器（１０）から前記流動性食品を取り出す工程、
前記フラッシュ容器（１０）からフラッシュ蒸気を取り出す工程、
前記フラッシュ蒸気を圧縮装置（１６）で圧縮する工程、及び、
前記フラッシュ蒸気を前記熱処理装置（１）内に供給する工程、
を備えたことを特徴とする方法。
【請求項１９】
前記圧縮装置（１６）は、直列に配置された２つの圧縮機器（１６ａ、１６ｂ）を含んでおり、
前記フラッシュ蒸気は、前記圧縮機器（１６ａ、１６ｂ）によって漸増的に圧縮される
ことを特徴とする請求項１８に記載の方法。
【請求項２０】
前記工程の少なくとも２つが、同時に実行される
ことを特徴とする請求項１８または１９に記載の方法。
【請求項２１】
前記圧縮装置（１６）内で前記フラッシュ蒸気を圧縮した後であって前記フラッシュ蒸気を前記熱処理装置（１）内に供給する前に、前記フラッシュ蒸気を熱蒸気再圧縮機器（２０）に通す工程
を更に備えたことを特徴とする請求項１８乃至２０のいずれかに記載の方法。
【請求項２２】
前記熱処理装置（１）は、蒸気注入室を含んでいる
ことを特徴とする請求項１８乃至２１のいずれかに記載の方法。
【請求項２３】
前記熱処理装置（１）は、蒸気噴射機器を含んでいる
ことを特徴とする請求項１８乃至２１のいずれかに記載の方法。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
単離されたメチニコビア種であって:(a)キシロースレダクターゼをコードする少なくとも1つの外因性核酸又は該単離されたメチニコビア種のキシロースレダクターゼの過剰発現をもたらす少なくとも1つの外因性核酸;及び(b)該単離されたメチニコビア種のキシリトールデヒドロゲナーゼを減弱させるか又は不活化する遺伝子修飾を含む、前記単離されたメチニコビア種。
【請求項２】
前記単離されたメチニコビア種が：
(a)培養したとき、少なくとも0.50g/L/h、少なくとも0.60g/L/h、少なくとも0.70g/L/h、少なくとも0.80g/L/h、少なくとも0.90g/L/h、少なくとも1.00g/L/h、少なくとも1.50g/L/h、少なくとも2.00g/L/h、少なくとも2.50g/L/h、少なくとも3.00g/L/h、少なくとも3.50g/L/h、少なくとも4.00g/L/h、少なくとも5.00g/L/h、少なくとも6.00g/L/h、少なくとも7.00g/L/h、少なくとも8.00g/L/h、少なくとも9.00g/L/h、又は少なくとも10.00g/L/hのキシリトールをキシロースから生産し；又は
(b) 培養したとき、少なくとも75g/L、少なくとも80g/L、少なくとも85g/L、少なくとも90g/L、少なくとも95g/L、少なくとも100g/L、少なくとも110g/L、少なくとも120g/L、少なくとも130g/L、少なくとも140g/L、少なくとも150g/L、少なくとも160g/L、少なくとも170g/L、少なくとも180g/L、少なくとも190g/L、少なくとも200g/L、少なくとも250g/L、少なくとも300g/Lのキシリトールをキシロースから生産する、請求項1記載の単離されたメチニコビア種。
【請求項３】
前記単離されたメチニコビア種が、メチニコビア・プルケリマ、メチニコビア・フルクティコラ、メチニコビア・クリソペルラエ、メチニコビア・ロイカウフィイ、メチニコビア・アンダウエンシス、メチニコビア・シャンキシエンシス、メチニコビア・シネンシス、メチニコビア・ジジフィコラ、メチニコビア・ビクスピダータ、メチニコビア・ルナータ、メチニコビア・ゾベルリイ、メチニコビア・アウストラリス、メチニコビア・アガウェアエ、メチニコビア・グルエスシイ、メチニコビア・ハワイエンシス、メチニコビア・クリスシイ、メチニコビア属種株NS-O-85、及びメチニコビア属種株NS-O-89からなる群から選択される、請求項1又は2記載の単離されたメチニコビア種。
【請求項４】
前記単離されたメチニコビア種が、ブダペスト条約の条項の下で、2016年11月8日に、国際寄託当局であるカナダ国際寄託当局(International Depositary Authority of Canada)に寄託された、アクセッション番号081116-01に指定されたメチニコビア種である、請求項1又は2記載の単離されたメチニコビア種。
【請求項５】
前記キシロースレダクターゼをコードする少なくとも1つの外因性核酸が異種核酸であり、ここで任意に前記キシロースレダクターゼが配列番号11〜18からなる群から選択されるアミノ酸配列又は配列番号11と少なくとも95％の配列同一性を有するアミノ酸配列を含む、請求項1〜4のいずれか一項記載の単離されたメチニコビア種。
【請求項６】
前記単離されたメチニコビア種が、前記キシロースレダクターゼをコードする多コピーの外因性核酸を含み、ここで任意に該メチニコビア種は、該キシロースレダクターゼをコードする2、3、4、5、6、7、8、9、10、11、12、13、14、15、16、17、18、19、20、又はそれ以上のコピーの外因性核酸を含む、請求項1〜5のいずれか一項記載の単離されたメチニコビア種。
【請求項７】
前記遺伝子修飾が：
(a)前記単離されたメチニコビア種のキシリトールデヒドロゲナーゼ又はその部分をコードする少なくとも1つのアレルの欠失を含み；又は
(b)前記単離されたメチニコビア種のキシリトールデヒドロゲナーゼ又はその部分をコードする両方のアレルの欠失を含む、請求項1〜6のいずれか一項記載の単離されたメチニコビア種。
【請求項８】
前記単離されたメチニコビア種がキシローストランスポーターをコードし、又は該単離されたメチニコビア種のキシローストランスポーターの過剰発現をもたらす少なくとも1つの外因性核酸をさらに含み、ここで任意に該キシローストランスポーターが配列番号27〜40からなる群から選択されるアミノ酸配列又は配列番号27〜36のいずれか1つと少なくとも30％の配列同一性を有するアミノ酸配列を含む、請求項1〜7のいずれか1項記載の単離されたメチニコビア種。
【請求項９】
キシリトールを生産する方法であって、請求項1〜8のいずれか一項記載の単離されたメチニコビア種を、キシロースからキシリトールを生産するための条件下で、かつそれに十分な期間培養することを含む、前記方法。
【請求項１０】
前記条件が、前記単離されたメチニコビア種を、キシロース及び共基質を含む培地中で培養することを含み、ここで任意に該共基質はグルコースであり、任意に該培地はグルコースをキシロースに対して約1:2、1:3、1:4、1:5、1:6、1:7、1:8、1:9、又は1:10の比で含むキシロースに富んだ培地である、請求項9記載の方法。
【請求項１１】
前記培養することが好気的培養条件を含み、かつ任意に該培養することが、回分培養、流加培養、又は連続培養を含む、請求項9又は10記載の方法。
【請求項１２】
前記キシリトールを前記培養物中の他の成分から分離することをさらに含み、ここで任意に該分離することが、抽出、連続液液抽出、浸透気化、膜濾過、膜分離、逆浸透、電気透析、蒸留、結晶化、遠心分離、抽出濾過、イオン交換クロマトグラフィー、吸収クロマトグラフィー、又は限外濾過を含む、請求項9〜11のいずれか一項記載の方法。
【請求項１３】
請求項1〜8のいずれか一項記載の単離されたメチニコビア種を含む、組成物。
【請求項１４】
グリセロール、アラビトール、C7糖アルコール、又はこれらの組合せを、不純物として含み、ここで任意に該C7糖アルコールがボレミトール又はその異性体であり、かつ任意にグリセロールもしくはアラビトール、又はその両方の量が、請求項1〜8のいずれか一項記載の単離されたメチニコビア種以外の微生物によって生産されるそれぞれのグリセロールもしくはアラビトール、又はその両方の量よりも少なくとも10％、20％、30％、又は40％多い、請求項13記載の組成物。
【誤訳訂正書】
【提出日】令和2年11月17日(2020.11.17)
【誤訳訂正１】
【訂正対象書類名】明細書
【訂正対象項目名】００１７
【訂正方法】変更
【訂正の内容】
【００１７】
本明細書に記載する方法では、酵素的修飾のためにモノクローナル抗体をアフィニティーリガンド、とりわけ抗体軽鎖アフィニティーリガンドに結合させ、その後に、修飾された糖鎖構造を伴うモノクローナル抗体調製物として遊離させる。この修飾は、Fabフラグメント中またはFc領域中のN-グリコシル化部位において行うことができる。驚いたことに、抗体軽鎖アフィニティーリガンドに結合された抗体は、あたかも抗体が溶液状態にあるかのように効果的に、酵素的に修飾されうることがわかった。本明細書に記載する方法は任意の抗体精製プロセスに容易に組み込むことができ、それにより、効率がよく対費用効果の高い新規なインビトロ抗体グリカン修飾プロセスを与える。
【誤訳訂正２】
【訂正対象書類名】明細書
【訂正対象項目名】０１３０
【訂正方法】変更
【訂正の内容】
【０１３０】
本願において使用される「に適用する」という用語および文法上それと等価な用語は、関心対象の物質を含有する溶液を固定相と接触させる、精製方法の部分工程を表す。精製しようとする関心対象の物質を含有する溶液は、固定相を通過して、固定相と溶液状態にある物質との間の相互作用をもたらす。例えばpH、伝導率、塩濃度、温度および/または流量などの条件に応じて、溶液の一部の物質が固定相に結合し、それと共に溶液から除去される。他の物質は溶液状態のままである。溶液状態のままの物質は素通り画分に見いだすことができる。「素通り画分」とは、クロマトグラフィー装置の通過後に得られる溶液を表し、これは、関心対象の物質を含有する適用された溶液であるか、カラムをフラッシュするために使用される緩衝液または固定相に結合している1つもしくは複数の物質の溶出を引き起こすために使用される緩衝液でありうる。関心対象の物質は、その物質が実質的に均一な形態で得られるように、例えば沈殿、塩析、限外濾過、ダイアフィルトレーション、凍結乾燥、アフィニティークロマトグラフィーまたは溶媒体積低減など、当業者にはよく知られる方法によって、精製工程後に溶液から回収することができる。
【誤訳訂正３】
【訂正対象書類名】明細書
【訂正対象項目名】０１３７
【訂正方法】変更
【訂正の内容】
【０１３７】
本明細書に記載する方法は、抗体を培養物から収穫した後にN-グリコシル化部位のグリカンを酵素的に修飾することによって、N-グリコシル化部位、例えばFab領域中またはFc領域中のN-グリコシル化部位において、所定のグリコシル化を伴う抗体、すなわち、グルコシル化部位において付加された、例えばFc領域中のAsn297に付加された、本質的に単一のグリコフォームを含有する抗体を提供する。抗体は抗体軽鎖アフィニティーリガンドに強固に結合されるので、そのグリコシル化は所望の方法で修飾することができる。したがって、本明細書に記載する方法には、培養上清からの抗体精製に使用される標準的な作業手順に容易に組み込むことができるという利点がある。抗体は抗体軽鎖アフィニティーリガンドに結合され、そしてその抗体軽鎖アフィニティーリガンドはさらに固相上に固定化することができるので、なかんずく、修飾に使用される酵素の量を、修飾を溶液状態で行った場合に必要になるであろう量と比較して低減することができ、その上、修飾全体を一工程で達成することができる。
【誤訳訂正４】
【訂正対象書類名】明細書
【訂正対象項目名】０１５３
【訂正方法】変更
【訂正の内容】
【０１５３】
アルカリホスファターゼの有無はプロテインAカラムでの収率を変化させなかった（19％G2F、56％G2S1F、25％G2S2F）。溶液状態では、以下の結果を得ることができる:
2020501577.tif 000001
G2F＝2つの末端ガラクトース残基とフコースとを有する複合型N-グリカン
G2S1F＝1つがシアル化されている2つの末端ガラクトース残基とフコースとを有する複合型N-グリカン
G2S2F＝どちらもシアル化されている2つの末端ガラクトース残基とフコースとを有する複合型N-グリカン
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
腫瘍を有するヒト小児対象でがんを治療する方法における使用のための腫瘍溶解性ヘルペス単純ウイルスを含む組成物であって、前記方法は、前記組成物を腫瘍内に投与することを含む、組成物。
【請求項２】
前記組成物が腫瘍内注射によって投与されることを特徴とする、請求項１に記載の組成物。
【請求項３】
前記腫瘍が固形腫瘍である、請求項１または２に記載の組成物。
【請求項４】
前記組成物が画像誘導下注射によって投与されることを特徴とする、請求項1から3のいずれか１項に記載の組成物。
【請求項５】
前記治療する方法が、細胞毒性剤もしくは細胞分裂阻害剤、免疫調節剤、または放射線照射療法を用いて同時に、逐次に、または別々に投与することを含むことを特徴とする、請求項１から４のいずれか１項に記載の組成物。
【請求項６】
前記方法が、腫瘍溶解性ヘルペス単純ウイルスを用いた治療の前、腫瘍溶解性ヘルペス単純ウイルスを用いた治療コースの間、および／または腫瘍溶解性ヘルペス単純ウイルスを用いた治療コースの終結に続いて、前記対象におけるＴｒｅｇ細胞のレベルを判定することを含むことを特徴とする、請求項１から５のいずれか１項に記載の組成物。
【請求項７】
前記方法が、前記対象における前記制御性Ｔ細胞（Ｔｒｅｇ）の応答または集団を抑制する作用因を同時に、逐次に、または別々に投与することを含むことを特徴とする、請求項１から６のいずれか１項に記載の組成物。
【請求項８】
前記方法が、腫瘍溶解性ヘルペス単純ウイルスを用いた治療の前、腫瘍溶解性ヘルペス単純ウイルスを用いた治療コースの間、および／または腫瘍溶解性ヘルペス単純ウイルスを用いた治療コースの終結に続いて、前記腫瘍の偽性進行を判定することを含むことを特徴とする、請求項１から７のいずれか１項に記載の組成物。
【請求項９】
ヒト対象への腫瘍溶解性ヘルペス単純ウイルスの投与後の前記対象での腫瘍の代謝活性の変化の検出を腫瘍溶解性ヘルペス単純ウイルスを用いた継続的な治療のために前記対象を選択するための指標とする方法であって、前記腫瘍の代謝活性の前記変化の前記検出は、前記対象が、腫瘍溶解性ヘルペス単純ウイルスの投与をさらに受けるように選択されることの指標である方法。
【請求項１０】
前記代謝活性の変化の前記検出が、偽性進行を検出することを含む、請求項９に記載の方法。
【請求項１１】
前記代謝活性の変化が、代謝活性の増加である、請求項９または１０に記載の方法。
【請求項１２】
前記代謝活性の変化が、陽電子放出断層撮影によって検出される、請求項９から１１のいずれか１項に記載の方法。
【請求項１３】
前記対象への腫瘍溶解性ヘルペス単純ウイルスの投与が、腫瘍内投与である、請求項９から１２のいずれか１項に記載の方法。
【請求項１４】
前記対象への腫瘍溶解性ヘルペス単純ウイルスの投与が、腫瘍内注射によるものである、請求項９から１３のいずれか１項に記載の方法。
【請求項１５】
前記対象が小児対象である、請求項９から１４のいずれか１項に記載の方法。
【請求項１６】
前記腫瘍が固形腫瘍である、請求項９から１５のいずれか１項に記載の方法。
【手続補正２】
【補正対象書類名】明細書
【補正対象項目名】００３８
【補正方法】変更
【補正の内容】
【００３８】
本発明は、記載される態様と好適な特長との組み合わせを含むが、そのような組み合わせが明確に容認できないものであるか、または明白に回避されるものである場合を除く。
特定の実施形態では、例えば、以下が提供される：
（項目１）
腫瘍溶解性ヘルペス単純ウイルスが腫瘍内に投与される、腫瘍を有するヒト小児対象でがんを治療する方法における使用のための腫瘍溶解性ヘルペス単純ウイルス。
（項目２）
腫瘍溶解性ヘルペス単純ウイルスが腫瘍内注射によって投与される、項目１に記載のがんを治療する方法における使用のための腫瘍溶解性ヘルペス単純ウイルス。
（項目３）
前記腫瘍が固形腫瘍である、項目１または２に記載のがんを治療する方法における使用のための腫瘍溶解性ヘルペス単純ウイルス。
（項目４）
腫瘍溶解性ヘルペス単純ウイルスが画像誘導下注射によって投与される、項目1から3のいずれか１項に記載のがんを治療する方法における使用のための腫瘍溶解性ヘルペス単純ウイルス。
（項目５）
前記治療方法が、細胞毒性剤もしくは細胞分裂阻害剤、免疫調節剤、または放射線照射療法を用いて同時に、逐次に、または別々に投与することを含む、項目１から４のいずれか１項に記載のがんを治療する方法における使用のための腫瘍溶解性ヘルペス単純ウイルス。
（項目６）
前記方法が、腫瘍溶解性ヘルペス単純ウイルスを用いた治療の前、腫瘍溶解性ヘルペス単純ウイルスを用いた治療コースの間、および／または腫瘍溶解性ヘルペス単純ウイルスを用いた治療コースの終結に続いて、前記対象におけるＴｒｅｇ細胞のレベルを判定することを含む、項目１から５のいずれか１項に記載のがんを治療する方法における使用のための腫瘍溶解性ヘルペス単純ウイルス。
（項目７）
前記方法が、前記対象における前記制御性Ｔ細胞（Ｔｒｅｇ）の応答または集団を抑制する作用因を同時に、逐次に、または別々に投与することを含む、項目１から６のいずれか１項に記載のがんを治療する方法における使用のための腫瘍溶解性ヘルペス単純ウイルス。
（項目８）
前記方法が、腫瘍溶解性ヘルペス単純ウイルスを用いた治療の前、腫瘍溶解性ヘルペス単純ウイルスを用いた治療コースの間、および／または腫瘍溶解性ヘルペス単純ウイルスを用いた治療コースの終結に続いて、前記腫瘍の偽性進行を判定することを含む、項目１から７のいずれか１項に記載の腫瘍を有する小児対象でがんを治療する方法における使用のための腫瘍溶解性ヘルペス単純ウイルス。
（項目９）
腫瘍溶解性ヘルペス単純ウイルスを用いた継続的な治療のためにヒト対象を選択する方法であって、ヒト対象への腫瘍溶解性ヘルペス単純ウイルスの投与後に前記対象で腫瘍の代謝活性の変化を検出すること、腫瘍溶解性ヘルペス単純ウイルスの投与をさらに受けるための変化が検出された対象を選択することを含む方法。
（項目１０）
代謝活性の変化を検出することが、偽性進行を検出することを含む、項目９に記載の方法。
（項目１１）
前記代謝活性の変化が、代謝活性の増加である、項目９または１０に記載の方法。
（項目１２）
前記代謝活性の変化が、陽電子放出断層撮影によって検出される、項目９から１１のいずれか１項に記載の方法。
（項目１３）
前記対象への腫瘍溶解性ヘルペス単純ウイルスの投与が、腫瘍内投与である、項目９から１２のいずれか１項に記載の方法。
（項目１４）
前記対象への腫瘍溶解性ヘルペス単純ウイルスの投与が、腫瘍内注射によるものである、項目９から１３のいずれか１項に記載の方法。
（項目１５）
前記対象が小児対象である、項目９から１４のいずれか１項に記載の方法。
（項目１６）
前記腫瘍が固形腫瘍である、項目９から１５のいずれか１項に記載の方法。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
冷却チャンバにおいて、
冷却流体の供給源および排出口のそれぞれに接続可能な冷却流体入口ポートおよび冷却流体出口ポートと、
前記供給源と前記排出口との間で冷却流体を循環させるための、前記冷却チャンバの壁の中にある、または前記冷却チャンバの壁と関連する熱交換器とを備え、
前記熱交換器が、前記入口ポートと関連および流体連通する入口マニホールド要素と、前記出口ポートと関連および流体連通する出口マニホールド要素とを含み、前記入口マニホールドおよび出口マニホールドが、少なくとも２つの導管システムと流体連通し、前記少なくとも２つの導管システムが、前記入口マニホールドと出口マニホールドとの間の対応する少なくとも２つの冷却流体流路を規定し、前記導管システムが、連続する導管セグメントにより構成され、前記導管セグメントが、前記冷却チャンバの壁内に形成された孔または空洞であることを特徴とする冷却チャンバ。
【請求項２】
請求項１に記載の冷却チャンバにおいて、
前記冷却チャンバが、２つの端壁と周方向の軸方向壁との間に規定された、軸を有する円筒形であり、
前記少なくとも２つの導管システムの各々が、前記２つの端壁間の距離にわたる複数の軸方向セグメントと、前記端壁内に形成された複数の外周セグメントとを含み、前記外周セグメントの各々が、前記流路内で連続する２つの軸方向セグメントを連結することを特徴とする冷却チャンバ。
【請求項３】
請求項２に記載の冷却チャンバにおいて、
前記周方向の壁の対向する部分に２つの導管システムを備えることを特徴とする冷却チャンバ。
【請求項４】
請求項３に記載の冷却チャンバにおいて、
前記部分の各々が円周の半分であることを特徴とする冷却チャンバ。
【請求項５】
冷却システムにおいて、
冷却チャンバと、
冷却流体の供給源および排出口と、
前記冷却チャンバの壁内の熱交換器とを備え、
前記熱交換器が、前記供給源と前記排出口との間で冷却流体を循環させるように構成され、
前記熱交換器が、
冷却流体入口ポートおよび冷却流体出口ポートと、
前記入口ポートと関連および流体連通する入口マニホールド要素と、前記出口ポートと関連および流体連通する出口マニホールド要素とを含み、前記入口マニホールドおよび出口マニホールドが、少なくとも２つの導管システムと流体連通し、前記少なくとも２つの導管システムが、前記入口マニホールドと出口マニホールドとの間の対応する少なくとも２つの冷却流体流路を規定し、前記導管システムが、連続する導管セグメントにより構成され、前記導管セグメントが、前記冷却チャンバの壁内に形成された孔または空洞であることを特徴とする冷却システム。
【請求項６】
請求項５に記載の冷却システムにおいて、
請求項１乃至４の何れか一項に記載の冷却チャンバを備えることを特徴とする冷却システム。
【請求項７】
材料から冷却食用製品を製造するための器具において、
請求項１乃至４の何れか一項に記載の冷却チャンバを備えることを特徴とする器具。